(57)【要約】      （修正有）【課題】繰り返し使用しても衣服を傷つけないベルトを提供する。【解決手段】長尺部１０２と調整部１１０を有する腰巻きベルトであって、調整部１１０と長尺部１０２は、調整部１１０側に備わり且つ装着時内側となる方向に回転するフラップ１１９によって長尺部１０２の基端を把持する回転式挟持部１１８によって着脱自在とされ、調整部１１０は、長尺部１０２を挿通させてガイドすると共に長尺部１０２を特定の挿通位置で固定できるバックルを備え、回転式挟持部１１８とバックルは、皮や布といったある程度の柔軟性を有する素材で構成された連結基部１１３によって連結固定されており、当該連結基部１１３の裏面側に、バックル全体が隠れるサイズに形成された保護部材１１６が取り付ける。【選択図】図２
2019073821.tif 000002
【特許請求の範囲】
【請求項１】
腰に巻き付ける長尺部と、当該長尺部の基端側に着脱自在に取り付けられた調整部と、を有する腰巻きベルトであって、
前記調整部と前記長尺部は、前記調整部側に備わり且つ装着時内側となる方向に回転するフラップによって前記長尺部の基端を把持する回転式挟持部によって着脱自在とされ、
前記調整部は、前記長尺部を挿通させてガイドすると共に前記長尺部を特定の挿通位置で固定できるバックルを備え、
前記回転式挟持部と前記バックルは、皮や布といったある程度の柔軟性を有する素材で構成された連結基部によって連結固定されており、
当該連結基部の裏面側には、前記バックル全体が隠れるサイズに形成された保護部材が取り付けられている
ことを特徴とする腰巻きベルト。  
【請求項２】
請求項１において、
前記連結基部の表面側には、前記バックルに挿通後の前記長尺部をガイドするためのガイドループが備わっており、
前記保護部材は、前記ガイドループが取り付けられている位置の裏面側にも位置するように取り付けられている
ことを特徴とする腰巻きベルト。
【請求項３】
請求項１又は２において、
前記保護部材の厚みは、前記回転式挟持部の裏面側への突出量と略面一とされている
ことを特徴とする腰巻きベルト。
【発明の詳細な説明】
【技術分野】
【０００１】
本発明は、日常生活において、衣服を身体に固定するために使用する腰巻きベルトに関するものである。
【背景技術】
【０００２】
従来から、腰巻きベルトに関するアイデアは多数存在する。
【０００３】
例えば、特許文献１においては、衣服用ベルト２（ここでの符号は引用文献１の符号をそのまま用いている。）の固定端２ａを金属製の天板３の端部に固定するベルト固定具４、および、衣服用ベルトの自由端２ｂを天板の他方の端部からベルト固定具の方向へ誘導する金属製のベルトガイド具５、および、ベルト固定具とベルトガイド具との中間に配設されて衣服用ベルトを天板に押し付ける金属製のベルト押圧具６、および、ベルト押圧具を回動可能に保持する金属製の押圧支持具７、を有するバックルを備えた衣服用ベルトが開示されている。
【先行技術文献】
【特許文献】
【０００４】
【特許文献１】実用新案登録第３２０５４７７号公報
【発明の概要】
【発明が解決しようとする課題】
【０００５】
確かに特許文献１記載の技術によれば、衣服用ベルトの自由端の抜け落ちを防止するのに十分な剛性を有し、しかも衣服用ベルト自体の損傷を防止できる。しかしながら、このような構造のバックルはバックル裏面側への突出も大きくなり、且つ複雑な形状となるため、繰り返しのベルト使用によって、「衣服」が損傷を被りやすいという問題がある。
【０００６】
そこで本発明は、こういった問題点を解決するべくなされたものであって、繰り返し使用しても衣服を傷つけないベルトを提供する事をその課題としている。
【課題を解決するための手段】
【０００７】
上記課題を解決するべく、本願発明は、腰に巻き付ける長尺部と、当該長尺部の基端側に着脱自在に取り付けられた調整部と、を有する腰巻きベルトであって、前記調整部と前記長尺部は、前記調整部側に備わり且つ装着時内側となる方向に回転するフラップによって前記長尺部の基端を把持する回転式挟持部によって着脱自在とされ、前記調整部は、前記長尺部を挿通させてガイドすると共に前記長尺部を特定の挿通位置で固定できるバックルを備え、前記回転式挟持部と前記バックルは、皮や布といったある程度の柔軟性を有する素材で構成された連結基部によって連結固定されており、当該連結基部の裏面側には、前記バックル全体が隠れるサイズに形成された保護部材が取り付けられていることを特徴とする。
【０００８】
このように構成したことによって、当該ベルトの使用時において、保護部材がバックルと衣服の間に位置することになり、バックルの裏面が直接衣服に接触することがない。その結果、バックルによる衣服の損傷を防止することができる。
【０００９】
また、前記連結基部の表面側には、前記バックルに挿通後の前記長尺部をガイドするためのガイドループが備わっており、前記保護部材は、前記ガイドループが取り付けられている位置の裏面側にも位置するように取り付けられていることを特徴とする。
【００１０】
このように構成したことによって、着脱時に最も力のかかりやすい部分の裏面側にも保護部材が位置するので、衣服の損傷を効果的に防止できる。また、調整部は、使用時に使用者の正面側に位置し最も注目される部分であるが、保護部材の存在によって、ガイドループがデザイン的に孤立して浮いた感覚を抑えることにも寄与しており、ガイドループが全体に馴染み、視覚的にも纏まりよい調整部１１０となる。
【００１１】
また、前記保護部材の厚みは、前記回転式挟持部の裏面側への突出量と略面一とされていることを特徴とする。
【００１２】
このように構成したことによって、回転式挟持部が衣服の表面を傷つけることを抑えることもできる。即ち、ベルトを外側から内側へ押しつける力が、回転挟持部（の特に突出した部分）に集中することを和らげることができるため、衣服の損傷を抑えることができるのである。
【発明の効果】
【００１３】
本発明を適用することで、繰り返し使用しても衣服を傷つけないベルトを提供することができる。
【図面の簡単な説明】
【００１４】
【図１】本発明の実施形態の一例である腰巻きベルトの正面全体図及び調整部の拡大図である。
【図２】本発明の実施形態の一例である腰巻きベルトにおける調整部の背面図である。
【図３】本発明の実施形態の一例である腰巻きベルトにおける調整部の平面図である。
【図４】本発明の実施形態の一例である腰巻きベルトの装着状態を示した正面斜視図である。
【図５】調整部単体の背面側から見た斜視図である。
【発明を実施するための形態】
【００１５】
以下、添付図面を参照しつつ、本発明の実施形態の一例である腰巻きベルト１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１６】
〈腰巻きベルトの構成〉
図１に示しているように、本発明の実施形態の一例である腰巻きベルト１００は、腰に巻き付ける長尺部１０２と、当該長尺部１０２の基端側に着脱自在に取り付けられた調整部１１０と、を有する。
【００１７】
長尺部１０２の先端１０４側には、長尺方向に沿って、複数の位置決め穴１０３が備わっている。この位置決め穴１０３には、後述する調整部１１０に備わるバックルピン１１５が挿通されることによって、使用時の腰巻きベルト１００の輪の大きさを調整するものである。
【００１８】
調整部１１０は、長尺部１０２を挿通させてガイドすると共に長尺部１０２を特定の挿通位置で固定できるバックル１１４及びバックルピン１１５を備える（特に図１の拡大部分を参照）。バックル１１４は、皮や布といったある程度の柔軟性を有する素材で構成された連結基部１１３によって回転式挟持部１１８と連結されている。
【００１９】
また、調整部１１０と長尺部１０２は、調整部１１０側に備わる回転式挟持部１１８によって着脱自在とされる。回転式挟持部１１８には、装着時内側（身体側）となる方向に回転するフラップ１１９が備わっており、当該フラップ１１９を操作することによって、長尺部１０２の基端を挟持固定できる構造とされている。
【００２０】
また、連結基部１１３の表面側には、長尺体１０２の先端１０４側を挿通させるガイドループ１１２が備わっている。一方その裏面側（図３における矢視α部分）には、バックル１１４全体が隠れるサイズに形成された保護部材１１６が取り付けられている。この保護部材１１６も、前記した連結器部１１３のように、皮や布といったある程度の柔軟性を有する素材で構成される。
【００２１】
また、保護部材１１６は、回転式挟持部１１８の最も突起した部分（使用時内側に最も突起した部分）と略面一（βとして点線で示したように略面一）となるように厚みが調整されている。
【００２２】
〈腰巻きベルトの作用・機能〉
本発明の実施形態の一例である腰巻きベルト１００の使い方は、通常のベルトと同様であり、何ら変わらない。
【００２３】
しかしながら、本発明を適用した腰巻きベルト１００は、腰に巻き付ける長尺部１０２と、この長尺部１０２の基端側に着脱自在に取り付けられた調整部１１０と、を有し、調整部１１０と長尺部１０２は、調整部１１０側に備わり且つ装着時内側となる方向に回転するフラップ１１９によって長尺部１０２の基端を把持する回転式挟持部１１８によって着脱自在とされ、調整部１１０は、長尺部１０２を挿通させてガイドすると共に長尺部１０２を特定の挿通位置で固定できるバックル１１４を備え、回転式挟持部１１８とバックル１１４は、皮や布といったある程度の柔軟性を有する素材で構成された連結基部１１３によって連結固定されており、連結基部１１３の裏面側には、バックル１１４全体が隠れるサイズに形成された保護部材１１６が取り付けられていた。
【００２４】
このように構成したことによって、ベルト使用時において、保護部材１１６がバックル１１４と衣服の間に位置することになり、バックル１１４の裏面が直接衣服に接触することがない。その結果、バックル１１４による衣服の損傷を防止することができる。
【００２５】
また、連結基部１１３の表面側には、バックル１１４に挿通後の長尺部１０２をガイドするためのガイドループ１１２が備わっており、保護部材１１６は、このガイドループ１１２が取り付けられている位置の裏面側にも位置するように取り付けられていた。
【００２６】
このように構成したことによって、着脱時に最も力のかかりやすい部分（長尺部１０２の先端１０４を当該ガイドループ１１２に通したり、バックル１１４を持ち上げて当該バックル１１４に長尺部１０２を挿通させる際に内側方向に押さえる力がかかりやすい部分。）の裏面側にも保護部材１１６が位置するので、衣服の損傷を効果的に防止できる。また、調整部１００は、使用時に使用者の正面側に位置し最も注目される部分であるが、保護部材１１６の存在によって、ガイドループ１１２がデザイン的に孤立して浮いた感覚を抑えることにも寄与しており、ガイドループ１１２が全体に馴染み、視覚的にも纏まりよい調整部１１０となっている。また、保護部材１１６の幅Ｗ１が、長尺部１０２の幅Ｗ２よりも一見して幅広に形成されているので、普通一般のベルトと形状的に異なっていて見た目のインパクトがあり、商品を陳列等した際に目立ち易いという副次的な効果もある。
【００２７】
また、保護部材１１６の厚みは、回転式挟持部１１８の裏面側への突出量と略面一とされていた。
【００２８】
このように構成したことによって、回転式挟持部１１８が衣服の表面を傷つけることを抑えることもできる。即ち、ベルト１００を外側から内側へ押しつける力が、回転挟持部（の特に突出した部分）に集中することを和らげることができるため、衣服の損傷を抑えることができるのである。
【符号の説明】
【００２９】
１００・・・腰巻きベルト
１０２・・・長尺部
１０３・・・位置決め穴
１０４・・・長尺部先端
１１０・・・調整部
１１２・・・ガイドループ
１１３・・・連結基部
１１４・・・バックル
１１５・・・バックルピン
１１６・・・保護部材
１１８・・・回転式挟持部
１１９・・・フラップ
【図１】
2019073821.tif 000003
【図２】
2019073821.tif 000004
【図３】
2019073821.tif 000005
【図４】
2019073821.tif 000006
【図５】
2019073821.tif 000007
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
腰に巻き付ける長尺部と、当該長尺部の基端側に着脱自在に取り付けられた調整部と、を有する腰巻きベルトであって、
前記調整部と前記長尺部は、前記調整部側に備わり且つ装着時内側となる方向に回転するフラップによって前記長尺部の基端を把持する回転式挟持部によって着脱自在とされ、
前記調整部は、前記長尺部を挿通させてガイドすると共に前記長尺部を特定の挿通位置で固定できるバックルを備え、
前記回転式挟持部と前記バックルは、皮や布といったある程度の柔軟性を有する素材で構成された連結基部によって連結固定されており、
当該連結基部の裏面側には、前記バックル全体が完全に隠れるサイズに形成された保護部材が取り付けられ、
装着する際、前記長尺部は、前記保護部材の表面側のみを通って前記バックルに挿通される
ことを特徴とする腰巻きベルト。  
【請求項２】
請求項１において、
前記連結基部の表面側には、前記バックルに挿通後の前記長尺部をガイドするためのガイドループが備わっており、
前記保護部材は、前記ガイドループが取り付けられている位置の裏面側にも位置するように取り付けられている
ことを特徴とする腰巻きベルト。